(57)【特許請求の範囲】
【請求項１】
開口部周縁の一部が底部に対して反対側へ延伸された延伸部を有する食品用袋体を保持する保持具であって、
前記食品用袋体が配置される本体部材と該本体部材に設けられて該食品用袋体の延伸部を押さえる保持部材とを有し、
前記本体部材は、前記延伸部を係止する係止部を備え、
前記保持部材は、前記食品用袋体の開口部と前記係止部との間を押さえ、かつ前記係止部および前記開口部と常に接しない位置で構成されていることを特徴とする
保持具。
【請求項２】
前記保持部材は、前記食品用袋体の幅方向へ所定の幅をもって前記食品用袋体と当接することを特徴とする請求項１に記載の保持具。
【請求項３】
前記保持部材は、該保持部材の先端に突出した突出部を有し、
前記突出部が前記食品用袋体と当接するように構成されていることを特徴とする請求項１または請求項２に記載の保持具。
【請求項４】
前記本体部材は、少なくとも２つの係止部を備え、
前記突出部は、前記２つの係止部の間で前記食品用袋体と当接するように配置されていることを特徴とする請求項３に記載の保持具。
【請求項５】
前記保持部材は、前記本体部材に回動自在に取り付けられ、当該回動により前記食品用袋体に接離自在であることを特徴とする請求項１から請求項４のいずれかに記載の保持具。
【請求項６】
前記保持部材が前記食品用袋体に当接した場合に前記係止部を遮蔽する遮蔽部を保持部材に有することを特徴とする請求項１から請求項５のいずれかに記載の保持具。
【請求項７】
請求項１から請求項６のいずれかに記載の保持具に用いられ、開口部周縁の一部が底部に対して反対側へ延伸された延伸部を有する食品用袋体であって、
前記延伸部は、前記保持具の係止部により係止される被係止部を備えることを特徴とする
食品用袋体。
【請求項８】
前記被係止部は孔部であり、
前記孔部と前記延伸部の端部との間に切り離し用誘導部を有することを特徴とする請求項７に記載の食品用袋体。
【発明の詳細な説明】
【技術分野】
【０００１】
本発明は、保持具、食品用袋体に関する。
【背景技術】
【０００２】
例えば、パン屋などの店舗では、パンなどの商品を個別包装することが一般的である。また、パン屋などの店舗において、顧客の集中する時間帯などで包装時間の短縮が望まれている。
【０００３】
従来、ビニール袋の形状を工夫することで、袋の開口作業を容易にした包装袋が知られている（例えば、特許文献１参照）。
【先行技術文献】
【特許文献】
【０００４】
【特許文献１】実用新案登録第３０５８０５０号公報
【発明の概要】
【発明が解決しようとする課題】
【０００５】
しかしながら、特許文献１に記載の包装袋による包装では、作業効率や包装時間の短縮において十分であるとは言えない。
【０００６】
本発明は、上述した問題に鑑みてなされたもので、簡単な構造で、容易に、且つ、短時間に、食品用袋体を開口して、商品などの物品を食品用袋体に収納することができる、食品用袋体を保持する保持具、および、食品用袋体を提供すること、などを目的とする。
【課題を解決するための手段】
【０００７】
このような目的を達成するために、本発明の保持具は、以下の構成を少なくとも具備するものである。
開口部周縁の一部が底部に対して反対側へ延伸された延伸部を有する食品用袋体を保持する保持具であって、
前記食品用袋体が配置される本体部材と該本体部材に設けられて該食品用袋体の延伸部を押さえる保持部材とを有し、
前記本体部材は、前記延伸部を係止する係止部を備え、
前記保持部材は、前記食品用袋体の開口部と前記係止部との間を押さえ、かつ前記係止部および前記開口部と常に接しない位置で構成されていることを特徴とする。
【０００８】
また、本発明の食品用袋体は、上記本発明に係る保持体に用いられ、開口部周縁の一部が底部に対して反対側へ延伸された延伸部を有する袋体であって、前記延伸部は、前記保持具の係止部により係止される被係止部を備えることを特徴とする。
【発明の効果】
【０００９】
本発明によれば、簡単な構造で、容易に、且つ、短時間に、食品用袋体（以下、袋体という）を開口して、商品などの物品を袋体に収納することができる、袋体を保持する保持具を提供することができる。
また、上記保持具に保持される食品用袋体を提供することができる。
【図面の簡単な説明】
【００１０】
【図１】本発明の実施形態に係る収納装置の袋体の一例を示す図、（ａ）は外観図、（ｂ）は側面図、（ｃ）は複数枚の袋体の一例を示す側面図。
【図２】本発明の実施形態に係る保持具の閉状態の一例を示す外観図。
【図３】本発明の実施形態に係る保持具の開状態の一例を示す外観図。
【図４】本発明の実施形態に係る保持具の一例を示す図。
【図５】本発明の実施形態に係る収納装置の保持具および袋体の一例を示す図。
【図６】本発明の実施形態に係る収納装置の動作の一例を示す図、（ａ）は保持具に対する袋体の装着時の収納装置の側面図、（ｂ）は袋体に対する商品の収納時の収納装置の側面図。
【図７】本発明の実施形態に係る収納装置の動作の一例を示す図、（ａ）は袋体の取り外し時の収納装置の側面図、（ｂ）は保持具から取り外された袋体の一例を示す図。
【図８】本発明の実施形態に係る収納装置の一例を示す図、（ａ）は保持具と支持台（スタンド）の一例を示す側面図、（ｂ）は収納装置の一例を示す側面図。
【発明を実施するための形態】
【００１１】
本発明の実施形態に係る収納装置は、袋体と、その袋体を開口可能に保持する保持具とを有する。収納装置は、例えば、パン屋やスーパー等の店舗などに設けられる。
【００１２】
以下、本発明の実施形態に係る保持具（包装袋用保持具）、袋体、収納装置を、図面を参照しながら説明する。本発明の実施形態は図示の内容を含むが、これのみに限定されるものではない。なお、以後の各図の説明で、既に説明した部位と共通する部分は同一符号を付して重複説明を一部省略する。
【００１３】
図１は本発明の実施形態に係る収納装置の袋体１の一例を示す図であり、詳細には、図１（ａ）は外観図、図１（ｂ）は側面図、図１（ｃ）は複数枚の袋体１の束１０の一例を示す側面図である。
図２は本発明の実施形態に係る保持具２０の閉状態の一例を示す外観図である。図３は保持具２０の開状態の一例を示す外観図である。図４は保持具の一例を示す図である。
【００１４】
図５は本発明の実施形態に係る収納装置２００の保持具２０および袋体１の一例を示す図である。
図６は本発明の実施形態に係る収納装置２００の動作の一例を示す図である。詳細には、図６（ａ）は保持具２０に対する袋体１の装着時の収納装置２００の側面図、図６（ｂ）は袋体１に対する商品（物品）の収納時の収納装置２００の側面図である。
図７は収納装置２００の動作の一例を示す図であり、詳細には、図７（ａ）は袋体１の取り外し時の収納装置２００の側面図、図７（ｂ）は保持具２０から取り外された袋体１の一例を示す図である。
【００１５】
図１（ａ）、図１（ｂ）に示したように、袋体１は、前面部１１と背面部１２とを有する。本実施形態では、袋体１は略四角形状に形成されており、四角形状のうち三辺が閉じ、一辺だけが開いている構造となっている。尚、袋体１は、この形態に限られるものではなく、例えば、略四角形状の四辺のうち、二辺が開いているタイプ（ハンバーガーの包みなど）や丸い形状であってもよい。
背面部１２は前面部１１よりも長さＬｆだけ延長された延伸部１３を備える。その延伸部１３は保持具のピンに挿通される孔部１４を備える。孔部１４は、１個または複数個形成されていてもよい。本実施形態では、延伸部１３に、幅方向に所定の間隔で２つの孔部１４が設けられている。
【００１６】
前面部１１と背面部１２の幅方向の長さは、所定の長さＷｆに規定されている。また、袋体１には開口部１６が設けられている。袋体１は、開口部１６から商品などの物品を収納可能に構成されている。
【００１７】
また、図１（ａ）に示したように、本実施形態では、袋体１は延伸部１３に被係止部を有する。本実施形態では、被係止部は孔部１４である。孔部１４は、円形状であってもよいし、四角形状、三角形状、楕円形状など所定の形状に形成されていてもよい。
尚、被係止部は、孔形状に限られるものではなく、例えば、袋本体とミシン目などで分離可能な凸体、取っ手などの所定の形状であってもよい。
【００１８】
また、袋体１は、延伸部１３に設けられた孔部１４とその延伸部１３の端部（袋体１の幅方向に直交する方向の端部）との間に切り離し用誘導部１５を有する。本実施形態では、切り離し用誘導部１５は、ミシン目部や切り込み部などであってもよい。このため、保持具のピンに袋体１の孔部１４を挿通した状態で、袋体１を図１（ａ）の下方向に引っ張り、袋体１を保持具のピンから容易に取り外すことができる。
【００１９】
袋体１は、樹脂製、例えばポリエステルなどのビニール製であってもよいし、紙製などの所定の材料で形成されていてもよい。
【００２０】
図１（ｃ）に示したように、本実施形態では、紐などの結束手段１９により複数の袋体１が結束されて束１０となっている。詳細には、結束手段１９としての紐は、複数の袋体１の孔部１４に挿通して結びつけられている。
【００２１】
収納装置の保持具２０は、本体部材２１と、保持部材２２と、を有する。本実施形態では、保持部材２２は、本体部材２１に回動自在に取り付けられている。
保持部材２２は、板部２２ａ、支持部２２ｂ、袋体の幅と同程度の幅の拡大部２２ｃ、本体部２２ｄ、袋押さえ部２２ｅ、段部２２ｇ、遮蔽部２２ｓ、などを有する。本体部材２１の支持部２１ｓと、保持部材２２の支持部２２ｂとは回転軸２３により回動自在に連結されている。
【００２２】
詳細には、本体部材２１には、袋体１の孔部１４に挿通される１本または複数本、本実施形態では２本のピンなどの係止部２１ｐが幅方向に所定の長さＷｐだけ離れて立設されている。係止部２１ｐとしてのピンの間隔は、袋体の孔部の間隔と同じとなるように規定されている。本体部材２１は袋体１の幅と同程度の幅Ｗａに規制されている。本実施形態では、保持具２０の係止部２１ｐとしてのピンは、袋体の孔部と略同じ又は大きい直径の先端径大部を有する。
尚、係止部２１ｐは、ピンの形状に限られるものではなく、例えば、フック形状、クリップ形状などの所定の形状に形成されていてもよい。
【００２３】
保持部材２２は、袋体１の幅と同程度の幅Ｗａを有し、本体部材２１に保持された袋体１に近接する本体部２２ｄと、本体部２２ｄの幅方向中央にピン幅（長さＷｐ）と同じまたはピン幅（長さＷｐ）よりも短い幅Ｗｅを有する、袋体側（本体部材２１側）に突出した形状の突出部としての袋押さえ部２２ｅとを有する。
本実施形態では、保持部材２２の袋押さえ部２２ｅは、袋体１の延伸部１３の孔部１４と、袋体１の開口端部との間を押圧するように構成されている。
【００２４】
保持具２０は、例えば、ステンレスなどの金属材料、樹脂、などの所定の材料により形成されている。例えば、保持部材２２をステンレスなどの金属材料により形成して、保持部材２２の自重により袋押さえ部２２ｅが袋体１を押圧して保持するように構成してもよい。
尚、バネなどの付勢手段を設け、付勢手段により保持部材２２の袋押さえ部２２ｅが袋体１を押圧するように構成してもよい。
【００２５】
また、本実施形態では、袋押さえ部２２ｅには先細形状の屈曲部２２ｆが設けられている。この屈曲部２２ｆは、袋体１を形よく開口させる形状となっている。また、屈曲部２２ｆは、例えば、保持部材２２を開状態とする際に取手部として用いられてもよい。
【００２６】
また、保持部材２２の本体部２２ｄは、袋押さえ部２２ｅの左右端部側に切り欠き状の段部２２ｇが形成されており、袋体１の幅方向の端部付近の動きを規制するように構成されている。
【００２７】
遮蔽部２２ｓは、保持具２０の保持部材２２が袋体１に当接した場合に係止部２１ｐを遮蔽する。本実施形態では、遮蔽部２２ｓは、板部２２ａ、支持部２２ｂ、拡大部２２ｃ、本体部２２ｄなどに対応する。
【００２８】
また、本体部材２１には、被取付部材（不図示）へ取り付けるための孔部２１ｈが設けられていてもよい。
【００２９】
次に、収納装置２００の動作の一例を、図面を参照しながら説明する。
図６（ａ）に示したように、保持具２０の保持部材２２を開状態とし、袋体１の束１０を保持具２０に装着する。詳細には、袋体１の孔部１４を係止部２１ｐとしてのピンに挿通する。このピンは、ピンの軸２１ｐｂよりも径の大きい先端径大部２１ｐａを有する。この先端径大部２１ｐａは、袋体１の孔部１４と略同じ又は大きい直径に形成されている。このため、袋体１が係止部２１ｐとしてのピンから外れにくい。
【００３０】
そして、図６（ｂ）に示したように、保持具２０の保持部材２２を回動させ、閉状態とする。この場合、保持部材２２の袋押さえ部２２ｅは、袋体１の延伸部１３の孔部１４と、袋体１の開口端部との間を押圧する。本実施形態では、保持部材２２の自重により袋体１を押圧する。
【００３１】
例えば、ユーザの指ｆなどにより袋体１の前面部１１をつまむことにより、袋体１の開口部１６が開口する。この状態で、ユーザは商品などの物品Ａを袋体１内に収納する。この場合、保持部材２２の本体部２２ｄの段部により袋体１の幅方向端部付近の動きが僅かに規制される。
【００３２】
図７（ａ）に示したように、袋体１内に商品などの物品Ａを収容した状態で、ユーザは袋体１を保持部材２２の押圧方向に直交する方向（図７（ａ）の右方向）に引っ張る。袋体１は、ミシン目などの切り離し用誘導部１５を介して係止部２１ｐとしてのピンから取り外される。図７（ｂ）は収納装置から取り外された袋体１を示す図である。
【００３３】
上述した収納装置２００は、袋体１や保持具２０が横に配置した状態で使用したが、この形態に限られるものではない。
【００３４】
図８は本発明の実施形態に係る収納装置２００Ｂの一例を示す図である。詳細には、図８（ａ）は保持具２０と支持台２５（スタンド）の一例を示す側面図、図８（ｂ）は収納装置２００Ｂの一例を示す側面図である。
収納装置２００Ｂは、保持具２０の孔部２１ｈを被支持部材としての支持台２５（スタンド板金部材）の係止部２５ａ（ピン）に係合させて、支持台２５により袋体１や保持具２０を立設した態様であってもよい。
詳細には、図８に示した収納装置２００Ｂは、袋体１を僅かに傾斜した状態で保持具２０を保持している。この場合、保持具２０の保持部材２２は自重により袋体１を本体部材２１側に押圧するように構成されている。
このように保持具２０は、立設して使用してもよいし、横に配置して使用してもよい。
【００３５】
以上、説明したように、本発明の実施形態に係る袋体１は、開口部１６の周縁の一部が底部１ｂと反対側へ延伸された延伸部１３を有する。延伸部１３は保持具に係止される被係止部を有する。被係止部は、孔形状の孔部１４などである。また、袋体１は、孔部１４と延伸部の端部との間にミシン目などの切り離し用誘導部１５を有する。
このため、保持具２０の係止部２１ｐとしてのピンに袋体１の孔部１４を挿通した状態で、ユーザが商品などの物品を袋体１に収納した後、袋体１を底部方向などに引っ張ることで、袋体１を保持具２０から容易に切り離すことができる。
また、本発明の実施形態に係る袋体１は、外力に最も弱い部分が誘導部となっている。このため、袋体１を引き抜く際に、袋体１の分離（開放）を切り離し用誘導部１５から確実に行うことができる。
もし、この誘導部が無い場合、想定外の袋体の破壊を起こす可能性があり、袋体の不要な破片を発生させ、さらには袋開口内に混入する可能性もある。
【００３６】
また、本発明の実施形態に係る保持具２０は、開口部１６の周縁の一部が底部１ｂに対して反対側へ延伸された延伸部１３を有する袋体１を保持する保持具であって、袋体１が配置される本体部材２１と本体部材２１に設けられて袋体１の延伸部１３を押さえる保持部材２２とを有する。本体部材２１は、延伸部１３を係止するピンなどの係止部２１ｐを備える。保持部材２２は、袋体１の開口部１６と係止部２１ｐとの間を押さえるように構成されている。
このように、保持具２０は、ピンなどの係止部２１ｐを有するので、袋体１のずれを規制し、袋体１と保持具２０との位置関係を保持することができる。
また、保持具２０の本体部材２１と保持部材２２とにより、袋体１を挟み押さえるので、ユーザが袋体１を開口して、商品などの物品を袋体１に容易に、且つ、短時間に収納することができる。
また、両手で袋を開く際の動作の片手の役割を保持部材２２が担っている。これにより作業者は片手で袋体１をつまむだけで袋体の開口を作り、物品などの包装を容易に行うことができる。
また、保持部材２２は、回動式でも上下垂直移動式でもアタッチメント式であってもよい。つまり、保持部材２２は、袋体１に対する接離に関して任意の方式であってよい。
【００３７】
また、本実施形態では、保持部材２２は、袋体１の幅方向へ所定の幅をもって袋体１と当接するように構成されている。
このように、保持部材２２により、袋体１を、袋体１の幅方向へ所定の幅をもって押圧するので、簡単な構造で、袋体１を保持することができる。
【００３８】
また、保持部材２２の本体部２２ｄにより、袋体１の幅方向端部付近（保持部材２２の袋押さえ部２２ｅに押圧されている近傍部分）を本体部材２１に対して離間する方向に移動することを規制することができる。このため、ユーザが袋体１を開口する場合、袋体１の幅方向端部付近の折れ曲がりなどの乱れを防止することができる。
本実施形態では、保持部材２２の幅方向の幅は、袋体１の幅方向の幅と略同じ長さであるが、この形態に限られるものではなく、任意の幅であってもよい。
【００３９】
また、本実施形態では、保持部材２２は、その保持部材２２の先端に突出した突出部としての袋押さえ部２２ｅを有する。この突出部としての袋押さえ部２２ｅが袋体１と当接するように構成されている。詳細には、保持部材２２は、突出部として、保持部材２２の中央に設けられた袋押さえ部２２ｅを一つ有する。
このため、保持部材２２にて袋体１を保持するとともに、突出部としての袋押さえ部２２ｅにより袋体１を確実に押圧して保持することができる。
尚、保持部材２２の突出部は、この形態に限られるものではなく、複数個の突出部が保持部材２２の所定の位置に設けられていてもよい。
【００４０】
また、本実施形態では、保持具２０の本体部材２１は、少なくとも２つの係止部２１ｐを備える。保持部材２２の突出部は、２つの係止部２１ｐの間で袋体１と当接するように配置されている。
このように、係止部２１ｐの間の部分に対応する袋体１の部分を、保持部材２２の突出部が当接し押圧することで、袋体１を確実に保持することができる。
また、保持部材２２に設けられた突出部が係止部２１ｐの間に配置されるように構成されているので、袋体１を引き抜く際の力が、確実に突出部の外側に位置する被係止部（＝切り離し用誘導部）に作用するため、袋体の分離を容易に行うことができる。
【００４１】
また、具体的には、袋押さえ部２２ｅが、本体部２２ｄの幅方向中央にピン幅（長さＷｐ）と同じまたはピン幅（長さＷｐ）よりも短い幅Ｗｅに形成され、袋体１の中央付近を押圧するので、ユーザは袋体１を容易に比較的大きく開口することができる。また、袋体１の横幅よりも僅かに小さい商品などの物品を容易に袋体１に収納することができる。
尚、上記実施形態では、係止部２１ｐは、２本で突出部が１つという構成であったが、係止部が複数ある態様であってもよい。
また、例えば、係止部が５本などで突出部が４つ、３つ、２つなどの態様であってもよい。
尚、係止部２１ｐとしてのピンとピンとの間に、必ずしも突出部が存在する必要はない。
【００４２】
また、本実施形態では、保持具２０の保持部材２２は、本体部材２１に回動自在に取り付けられ、当該回動により袋体１に接離自在となるように構成されている。
このように、本体部材２１に回動自在に連結された保持部材２２により、袋体１を当接し押圧することで、簡単に保持することができる。
【００４３】
また、本実施形態では、保持具２０の保持部材２２が袋体１に当接した場合に係止部２１ｐを遮蔽する遮蔽部２２ｓを保持部材２２が有する。
つまり、保持部材２２を袋体１に当接させた場合に係止部２１ｐが遮蔽部２２ｓにより隠れる。このため、商品や物品などが袋体１の開口内へ投入される投入経路に障害物がなく、スムーズな物品投入を実現することができる。
また、上述したように遮蔽部２２ｓを設けたので、商品や物品以外のゴミ、パンクズなどが保持具２０に溜まることを防ぐことができる。
【００４４】
また、図８に示したように、保持具２０および複数の袋体１を立設した収納装置２００Ｂの場合、保持部材２２の本体部２２ｄにより、袋体１の幅方向端部付近（保持部材２２の袋押さえ部２２ｅに押圧されている近傍部分）を本体部材２１に対して離間する方向に移動することを規制するので、長時間、袋体１を保持した状態であっても、袋体１の幅方向端部付近の折れ曲がりなどの乱れを防止することができる。
【００４５】
また、本実施形態では、保持具２０の保持部材２２の袋押さえ部２２ｅが自重などにより、袋体１を僅かに押圧し、且つ、その押圧方向に直交する方向に押圧していない。このため、ユーザが商品などの物品を袋体１に収納した後、袋体１をその直交する方向に容易に引っ張ることができる。
【００４６】
また、本実施形態では、複数の袋体１の孔部に挿通し、該複数の袋体１を結束する紐などの結束手段１９を有する。
このため、紐などの結束手段１９により複数の袋体１を結束した状態で、収納装置２００に容易に取り付けることができる。この場合、複数の複数の袋体１を結束手段１９により結束した状態で、ユーザは商品などの物品を収容した袋体１を収納装置２００から容易に取り外すことができる。
【００４７】
また、本発明の実施形態では、保持具２０の係止部２１ｐとしてのピンは、袋体１の孔部１４と略同じ又は大きい直径の先端径大部を有する。このように、袋体１が係止部２１ｐとしてのピンから外れ難い構造となっている。
【００４８】
以上、本発明の実施形態について図面を参照して詳述してきたが、具体的な構成はこれらの実施形態に限られるものではなく、本発明の要旨を逸脱しない範囲の設計の変更等があっても本発明に含まれる。
また、上述の各図で示した実施形態は、その目的及び構成等に特に矛盾や問題がない限り、互いの記載内容を組み合わせることが可能である。
また、各図の記載内容はそれぞれ独立した実施形態になり得るものであり、本発明の実施形態は各図を組み合わせた一つの実施形態に限定されるものではない。
【００４９】
尚、本発明に係る保持具、袋体、収納装置は、例えば、レジスターやセルフレジスターなどに設けられていてもよい。また、保持具、袋体、収納装置が設けられる場所は、例えば、サッカー台（スーパーの袋詰めを行う台）や食品を扱うバックヤードや売り場などであってもよい。
【符号の説明】
【００５０】
１…袋体、１０…束、１１…前面部、１２…背面部、１３…延伸部、１４…孔部、１５…切り離し用誘導部、１６…開口部、１９…結束手段、２０…保持具、２１…本体部材、２１ｐ…係止部（ピン）、２２…保持部材、２２ｄ…本体部、２２ｅ…袋押さえ部（突出部）、２２ｇ…段部、２３…回転軸、２００…収納装置。
【図１】
0006521284.tif 000002
【図２】
0006521284.tif 000003
【図３】
0006521284.tif 000004
【図４】
0006521284.tif 000005
【図５】
0006521284.tif 000006
【図６】
0006521284.tif 000007
【図７】
0006521284.tif 000008
【図８】
0006521284.tif 000009